(57)【特許請求の範囲】
【請求項１】
外部機器と近距離無線通信によって通信し、前記外部機器より所定の情報を受信する近距離無線通信部と、
前記近距離無線通信部が前記外部機器と近距離無線通信によって通信するためのペアリング情報を保持する不揮発性メモリと、
二次電池を充電する充電回路と、
前記充電回路が前記二次電池への充電を開始するのに応答して、前記不揮発性メモリに保持されているペアリング情報を消去する制御部と、
を備えることを特徴とする通信機。
【請求項２】
前記近距離無線通信部が受信した前記所定の情報を外部の管理装置へと送信する送信部をさらに備えることを特徴とする請求項１記載の通信機。
【請求項３】
前記外部機器は、前記所定の情報として人の生体情報を検出し、前記生体情報を前記近距離無線通信部へと送信する生体センサであることを特徴とする請求項１または２に記載の通信機。
【請求項４】
近距離無線通信部が外部機器と近距離無線通信によって通信するためペアリングを実行し、
ペアリングの実行によって得られた前記近距離無線通信部と前記外部機器とのペアリング情報を不揮発性メモリに保持させ、
充電回路が二次電池への充電を開始するか否かを監視し、
前記充電回路が前記二次電池への充電を開始したら、前記不揮発性メモリに保持されているペアリング情報を消去する
ことを特徴とする通信機の制御方法。
【発明の詳細な説明】
【技術分野】
【０００１】
本発明は、外部機器から所定の情報を受信する通信機及びその制御方法に関する。
【背景技術】
【０００２】
一例として消防士のような危険な作業を行わなければならない作業者の安全を確保することが求められている。
【先行技術文献】
【特許文献】
【０００３】
【特許文献１】特開２０００−１１２５５８号公報
【発明の概要】
【発明が解決しようとする課題】
【０００４】
火災現場では、複数の消防士による消火活動が行われる。各消防士の状況を的確に把握して、消防士が危険な状況に陥ることを回避しなければならない。このときに、各消防士を正しく特定することが必要である。
【０００５】
例えばある消防士が危険な状況に陥りそうになっているとき、消防士の特定を誤ると、危険な状況にはない消防士を危険な状況に陥りそうになっていると誤認識してしまう可能性がある。そこで、消防士を誤って特定してしまう可能性を極力低減させることが求められる。
【０００６】
本発明は、作業者を誤って特定してしまう可能性を低減させ、各作業者の状況を的確に把握することができる通信機及びその制御方法を提供することを目的とする。
【課題を解決するための手段】
【０００７】
本発明は、上述した従来の技術の課題を解決するため、外部機器と近距離無線通信によって通信し、前記外部機器より所定の情報を受信する近距離無線通信部と、前記近距離無線通信部が前記外部機器と近距離無線通信によって通信するためのペアリング情報を保持する不揮発性メモリと、二次電池を充電する充電回路と、前記充電回路が前記二次電池への充電を開始するのに応答して、前記不揮発性メモリに保持されているペアリング情報を消去する制御部とを備えることを特徴とする通信機を提供する。
【０００８】
また、本発明は、上述した従来の技術の課題を解決するため、近距離無線通信部が外部機器と近距離無線通信によって通信するためペアリングを実行し、ペアリングの実行によって得られた前記近距離無線通信部と前記外部機器とのペアリング情報を不揮発性メモリに保持させ、充電回路が二次電池への充電を開始するか否かを監視し、前記充電回路が前記二次電池への充電を開始したら、前記不揮発性メモリに保持されているペアリング情報を消去することを特徴とする通信機の制御方法を提供する。
【発明の効果】
【０００９】
本発明の通信機及びその制御方法によれば、作業者を誤って特定してしまう可能性を低減させ、各作業者の状況を的確に把握することができる。
【図面の簡単な説明】
【００１０】
【図１】一実施形態の通信機を使用している状態を示すブロック図である。
【図２】複数の消防士それぞれが生体センサを装着し、通信機を所持している状態を概念的に示す図である。
【図３】多連充電器によって複数の通信機を充電している状態を示す斜視図である。
【図４】通信機を多連充電器に戻している状態を示す斜視図である。
【図５】一実施形態の通信機を充電している状態を示すブロック図である。
【図６】一実施形態の通信機の動作及び一実施形態の通信機の制御方法を示すフローチャートである。
【発明を実施するための形態】
【００１１】
以下、一実施形態の通信機及びその制御方法について、添付図面を参照して説明する。本実施形態においては、作業者が消防士である場合を例とする。作業者は、消防士に限定されず、他の災害救助員や水難救助員であってもよい。
【００１２】
まず、図２を用いて、消防士がどのような状態で消火活動を行うかについて説明する。図２において、消防士ＦＦａ，ＦＦｂ，ＦＦｃ，ＦＦｄ，ＦＦｅは、それぞれ、生体センサ２００を例えば腕に装着している。消防士ＦＦａ，ＦＦｂ，ＦＦｃ，ＦＦｄ，ＦＦｅのいずれかを特定しない消防士または消防士ＦＦａ〜ＦＦｅの総称を消防士ＦＦとする。
【００１３】
生体センサ２００は、心拍数や脈拍数のような生体情報を検出する検出装置である。生体センサ２００の装着場所は腕に限定されない。生体センサ２００が検出する生体情報は心拍数や脈拍数に限定されず、体温等の他の生体情報であってもよい。
【００１４】
消防士ＦＦａ〜ＦＦｅは、それぞれ、通信機１００を所持している。通信機１００は、半二重通信方式を用いて音声またはデータを送受信する無線機であってもよいし、全二重通信方式を用いて音声またはデータを送受信する携帯電話であってもよい。本実施形態においては、通信機１００はスマートフォンであるとする。
【００１５】
通信機１００及び生体センサ２００はそれぞれ近距離無線通信機能を有する。近距離無線通信機能とは、例えば、ブルートゥース（登録商標）、無線ＬＡＮ、ＮＦＣ（Near Field Communication）等の任意の規格の通信方式を用いた無線通信機能である。
【００１６】
消防士ＦＦが消火活動をする際には、通信機１００と生体センサ２００とがペアリングされ、近距離無線通信機能を用いて、生体センサ２００が検出した生体情報を通信機１００に送信する。一点鎖線で示す両矢印線は、近距離無線通信を示す。
【００１７】
ところで、消防士ＦＦが出動を待機している状態では、通信機１００は、例えば図３に示すような多連充電器５００を用いて充電される。個々の通信機１００を個々の充電器で充電してもよい。多連充電器５００は、消防士ＦＦが出動を待機する消防署に設けられている。多連充電器５００は、消防車に設けられていてもよい。
【００１８】
図３に示すように、多連充電器５００は、通信機１００を装着する凹状の装着部501a，501b，501c，501d，501eを有する。装着部501a〜501eには、それぞれ、通信機100a，100b，100c，100d，100eが装着されている。
【００１９】
通信機１００とは、通信機100a，100b，100c，100d，100eのうちのいずれかを特定しない通信機または通信機100a〜100eの総称である。装着部501a〜501eのいずれかを特定しない装着部または装着部501a〜501eの総称を装着部５０１とする。
【００２０】
消防士には交代勤務があることから、図２に示す消防士ＦＦを含む全ての消防士それぞれに通信機１００と生体センサ２００とが割り当てられていない。消防士は消火活動時にいずれかの生体センサ２００を装着し、多連充電器５００よりいずれかの通信機１００を取り外して所持する。
【００２１】
なお、生体センサ２００は消防士の肌に密着して使用されることから、全ての消防士それぞれに割り当てられていてもよい。少なくとも全ての消防士それぞれに通信機１００が割り当てられておらず、一人の消防士が使用する通信機１００は固定されない状況であるとする。
【００２２】
よって、図２に示す消防士ＦＦａ〜ＦＦｅが図３に示す通信機100a〜100eのうちのいずれを選択して所持するかは決まっていない。
【００２３】
次に、図１を用いて、通信機１００と生体センサ２００の具体的な構成及び動作を説明する。
【００２４】
図１において、通信機１００は、通信機１００の全体を制御する制御部１０１を備える。制御部１０１は、マイクロコンピュータまたはマイクロプロセッサであってもよい。制御部１０１には、近距離無線通信部１０２，送受信部１０４，不揮発性メモリ１０６，表示部１０７，操作部１０８，マイクロホン１０９，スピーカ１１０，電源・充電回路１１２，記憶部１１４が接続されている。
【００２５】
制御部１０１とマイクロホン１０９との間に、Ａ／Ｄ変換器が設けられていてもよい。制御部１０１とスピーカ１１０との間に、Ｄ／Ａ変換器が設けられていてもよい。
【００２６】
近距離無線通信部１０２は、アンテナ１０３を介して、外部機器の一例である生体センサ２００と近距離無線通信する。生体センサ２００は、近距離無線通信部２０１とアンテナ２０２とを備える。生体センサ２００が検出した消防士ＦＦの生体情報は、近距離無線通信によって近距離無線通信部１０２へと送信される。
【００２７】
制御部１０１は、近距離無線通信部１０２が受信した生体情報を記憶部１１４に記憶させてもよい。
【００２８】
送受信部１０４は、制御部１０１による制御に基づき、アンテナ１０５及び外部の基地局４００を介して、生体情報を管理装置３００に送信する。制御部１０１は、近距離無線通信部１０２が受信した生体情報を即座に管理装置３００に送信するよう送受信部１０４を制御してもよいし、記憶部１１４に記憶された生体情報を管理装置３００に送信するよう送受信部１０４を制御してもよい。
【００２９】
管理装置３００は、送受信部３０１とアンテナ３０２とを備える。管理装置３００は、それぞれの通信機１００より送信される各消防士ＦＦの生体情報を管理する。管理装置３００は、ホストコンピュータによって構成することができる。
【００３０】
通信機１００と生体センサ２００とが近距離無線通信を実行するには、両者をペアリングさせる必要がある。各消防士ＦＦは、生体センサ２００を装着し、多連充電器５００より通信機１００を取り外して所持したら、両者のペアリング処理を実行させる。
【００３１】
具体的には、消防士ＦＦが所定の操作を行うことによって通信機１００が通信相手となる生体センサ２００を特定し、両者をペアリングさせる。このとき、通信機１００と生体センサ２００は共通の暗証番号によって相手を認証する。ペアリングに必要な情報をペアリング情報と称する。
【００３２】
制御部１０１は、不揮発性メモリ１０６に、通信機１００と生体センサ２００とのペアリング情報を保持させる。
【００３３】
図２に示す各消防士ＦＦが所持する通信機１００と装着している生体センサ２００とがペアリングされる。管理装置３００には、各消防士ＦＦが所持する通信機１００より生体情報が送信されるので、消防士ＦＦが危険な状況に陥りそうになっていないか管理することができる。
【００３４】
表示部１０７は例えば液晶パネルであり、制御部１０１による制御に基づいて、所定の情報を表示させることができる。操作部１０８は、表示部１０７に装着されたタッチパネルであってもよい。
【００３５】
消防士ＦＦが音声を送信するときには、マイクロホン１０９は消防士ＦＦが発した音声を収音する。図示していないＡ／Ｄ変換器は音声信号をＡ／Ｄ変換して、音声データを制御部１０１に供給する。送受信部１０４は、音声データを送信する。
【００３６】
送受信部１０４が音声データを受信したら、音声データは制御部１０１を介して図示していないＤ／Ａ変換器に入力されてＤ／Ａ変換され、スピーカ１１０は音声信号に基づく音声を出力させる。
【００３７】
なお、送受信部１０４は、変調回路及び復調回路を有する。制御部１０１は、コーデックを有する。コーデックは、制御部１０１の外部に設けられていてもよい。
【００３８】
通信機１００は多連充電器５００より取り外されているので、充電用接続端子１１１から電源・充電回路１１２には電力が供給されていない。電源・充電回路１１２は二次電池１１３から取り出した電力を、制御部１０１，近距離無線通信部１０２，送受信部１０４等の電力を必要とする各部に供給する。
【００３９】
消防士ＦＦが消火活動を終えると、図４に示すように、消防士ＦＦは所持していたそれぞれの通信機１００を多連充電器５００に戻す。図４では、便宜上、通信機100a〜100eが全て図３と同じ状態で装着部501a〜501eに戻される状態を示している。しかしながら、通信機100a〜100eが装着部501a〜501eにどのように戻されるかは決まっていない。
【００４０】
図５は、通信機１００が装着部５０１された状態を示している。多連充電器５００における装着部５０１の部分が、破断状態で示されている。装着部５０１の底部には、凹状の充電用接続端子１１１に挿入される凸状の充電用接続端子５０２が設けられている。
【００４１】
通信機１００を装着部５０１に戻すと、充電用接続端子５０２が充電用接続端子１１１に挿入され、電源・充電回路１１２に電力が供給される。
【００４２】
電源・充電回路１１２は、二次電池１１３の充電を開始する。電源・充電回路１１２が二次電池１１３の充電を開始すると、制御部１０１はそれに応答して、不揮発性メモリ１０６に保持されていたペアリング情報を消去する。
【００４３】
図１と図５に示す通信機１００を比較すれば分かるように、使用状態の通信機１００における不揮発性メモリ１０６はペアリング情報を保持しているのに対し、充電状態の通信機１００における不揮発性メモリ１０６はペアリング情報を保持していない。
【００４４】
図６に示すフローチャートを用いて、通信機１００の全体的な動作及び通信機１００の制御方法をさらに説明する。図６は、通信機１００が多連充電器５００から取り外された時点以降の処理を示している。
【００４５】
図６において、制御部１０１は、ステップＳ１にて、ペアリング実行の操作がなされたか否かを判定する。ペアリング実行の操作がなされなければ（NO）、制御部１０１はステップＳ１の判定処理を繰り返す。ペアリング実行の操作がなされれば（YES）、制御部１０１は、処理をステップＳ２に移行させる。
【００４６】
制御部１０１は、ステップＳ２にて、生体センサ２００とのペアリングを実行し、ステップＳ３にて、ペアリング情報を不揮発性メモリ１０６に保持させる。
【００４７】
制御部１０１は、ステップＳ４にて、電源・充電回路１１２が二次電池１１３への充電を開始したか否かを判定する。充電を開始したと判定されなければ（NO）、制御部１０１は、ステップＳ４の判定処理を繰り返す。即ち、制御部１０１は、電源・充電回路１１２が二次電池１１３への充電を開始するか否かを監視する。
【００４８】
充電を開始したと判定されれば、（YES）、制御部１０１は、処理をステップＳ５に移行させる。制御部１０１は、ステップＳ５にて、不揮発性メモリ１０６に保持されている生体センサ２００とのペアリング情報を消去する。
【００４９】
制御部１０１は、ステップＳ６にて、充電が完了したか否かを判定する。充電が完了していなければ（NO）、制御部１０１はステップＳ６の判定処理を繰り返す。充電が完了していれば（YES）、制御部１０１は、処理を終了させる。
【００５０】
ところで、通常、ペアリングさせて通信を実行する通信機はペアリング情報が消去されず保持されていると、保持されているペアリング情報に基づいてペアリングを実行させる。従って、ペアリング情報が消去されず不揮発性メモリ１０６に保持され続けていると、誤ったペアリングがなされる可能性がある。
【００５１】
例えば、図２において、消防士ＦＦａ，ＦＦｂが近距離にいると、消防士ＦＦａが所持する通信機１００と、消防士ＦＦｂが装着している生体センサ２００とのペアリングが自動的になされてしまう可能性がある。すると、消防士ＦＦａが所持する通信機１００から送信される生体情報は消防士ＦＦａの生体情報ではなく、消防士ＦＦｂの生体情報となってしまう。
【００５２】
消防士ＦＦａが、自分が所持する通信機１００と自分が装着している生体センサ２００とのペアリングがなされていないことに気付いて修正したとしても、修正に時間を要してしまう。消火活動のような緊急事態の発生時に無駄な時間を要するのは好ましくない。
【００５３】
本実施形態の通信機（通信機１００）においては、制御部１０１が、電源・充電回路１１２（充電回路）が二次電池１１３への充電を開始するのに応答して、不揮発性メモリ１０６に保持されているペアリング情報を消去する。
【００５４】
また、本実施形態の通信機の制御方法においては、電源・充電回路１１２が二次電池１１３への充電を開始するか否かを監視して、充電を開始したら、不揮発性メモリ１０６に保持されているペアリング情報を消去する。
【００５５】
よって、本実施形態の通信機及びその制御方法によれば、消防士ＦＦ（作業者）を誤って特定してしまう可能性を低減させ、各作業者の状況を的確に把握することが可能となる。
【００５６】
通信機１００は、近距離無線通信部１０２が受信した所定の情報（例えば生体情報）を外部の管理装置３００へと送信する送受信部１０４（送信部）をさらに備えることが好ましい。
【００５７】
所定の情報を管理装置３００に送信すれば、管理装置３００が各作業者の状況を管理することが可能となる。
【００５８】
外部機器を人の生体情報を検出する生体センサ２００とすれば、通信機１００は、作業者の生体情報を取得することができる。通信機１００が生体情報を管理装置３００に送信すれば、管理装置３００が各作業者の身体的な状況を管理することが可能となる。
【００５９】
本発明は以上説明した本実施形態に限定されるものではなく、本発明の要旨を逸脱しない範囲において種々変更可能である。通信機１００を構成するに際し、ハードウェアとソフトウェア（コンピュータプログラム）との使い分けは任意である。
【符号の説明】
【００６０】
１００，100a〜100e  通信機
１０１  制御部
１０２  近距離無線通信部
１０４  送受信部（送信部）
１０６  不揮発性メモリ
１１２  電源・充電回路（充電回路）
１１３  二次電池
２００  外部機器（生体センサ）
３００  管理装置
【図１】
0006477182.tif 000002
【図２】
0006477182.tif 000003
【図３】
0006477182.tif 000004
【図４】
0006477182.tif 000005
【図５】
0006477182.tif 000006
【図６】
0006477182.tif 000007